(57)【要約】  本発明の表示方法は、入力表示部の汚損を検出する汚損検出ステップと、前記検出した汚損の位置に対応する前記入力表示部の第１箇所に所定の表示をする汚損箇所表示ステップとを含む。
2017090081.tif 000002
【特許請求の範囲】
【請求項１】
入力表示部の汚損を検出する汚損検出ステップと、
前記検出した汚損の位置に対応する前記入力表示部の第１箇所に所定の表示をする汚損箇所表示ステップと
を含む表示方法。
【請求項２】
前記入力表示部に対する入力操作を検知するステップをさらに含み、
前記入力操作が前記第１箇所以外の第２箇所で検知されたときに、前記入力操作に応じた処理を行う
請求項１に記載の表示方法。
【請求項３】
前記入力操作が前記第１箇所で検知されたときに、前記入力操作に応じた処理をしない
請求項２に記載の表示方法。
【請求項４】
前記入力操作が前記第１箇所を拭き取る操作である場合に、前記所定の表示を変更する汚損箇所表示変更ステップをさらに含む
請求項２または３に記載の表示方法。
【請求項５】
前記所定の表示を変更した後に、再び、前記汚損検出ステップと前記汚損箇所表示ステップとを実行する
請求項４に記載の表示方法。
【請求項６】
前記入力操作が行われているか否かを判定するステップをさらに含み、
前記入力操作が行われていないと判定された場合に、前記汚損検出ステップと前記汚損箇所表示ステップとを実行する
請求項２から５いずれか１項に記載の表示方法。
【請求項７】
前記汚損検出ステップにおいて、前記入力表示部に対する入力によって前記汚損を検出する
請求項１から６のいずれか１項に記載の表示方法。
【請求項８】
前記汚損検出ステップは、所定の時刻になった若しくは所定の時間を経過したとき又は所定の動作を行ったときに実行される
請求項１から７のいずれか１項に記載の表示方法。
【請求項９】
前記所定の表示は、前記第１箇所を可視化する表示である
請求項１から８のいずれか１項に記載の表示方法。
【請求項１０】
前記汚損箇所表示変更ステップにおいて、前記所定の表示の少なくとも一部の明るさ若しくは色又はそれらの両方を変更する
請求項４又は５に記載の表示方法。
【請求項１１】
入力表示部の汚損を検出し、
前記検出した汚損の位置に対応する前記入力表示部の第１箇所に所定の表示をする
処理部を
を備える表示装置。
【請求項１２】
前記処理部は、
前記入力表示部に対する入力操作を検知し、
前記入力操作が前記第１箇所以外の第２箇所で検知されたときに、前記入力操作に応じた処理を行う
請求項１１に記載の表示装置。
【請求項１３】
前記処理部は、
前記入力操作が前記第１箇所で検知されたときに、前記入力操作に応じた処理をしない
請求項１２に記載の表示装置。
【請求項１４】
前記処理部は、さらに、
前記入力操作が前記第１箇所を拭き取る操作である場合に、前記所定の表示を変更する
請求項１２または１３に記載の表示装置。
【請求項１５】
前記処理部は、
前記所定の表示を変更した後に、再び、
前記入力表示部の汚損を検出し、
前記検出した汚損の位置に対応する前記入力表示部の第１箇所に所定の表示をする
請求項１４に記載の表示装置。
【請求項１６】
入力表示部の汚損を検出し、
前記検出した汚損の位置に対応する前記入力表示部の第１箇所に所定の表示をする
処理部によって
制御される表示装置。
【請求項１７】
前記処理部は、さらに、
前記入力表示部に対する入力操作を検知し、
前記入力操作が前記第１箇所以外の第２箇所で検知されたときに、前記入力操作に応じた処理を行う
請求項１６に記載の表示装置。
【請求項１８】
前記処理部は、
前記入力操作が前記第１箇所で検知されたときに、前記入力操作に応じた処理をしない
請求項１７に記載の表示装置。
【請求項１９】
前記処理部は、さらに、
前記入力操作が前記第１箇所を拭き取る操作である場合に、前記所定の表示を変更する
請求項１７または１８に記載の表示装置。
【請求項２０】
入力表示部の汚損を検出する汚損検出ステップと、
前記検出した汚損の位置に対応する前記入力表示部の第１箇所に所定の表示をする汚損箇所表示ステップと
をコンピュータに実行させるプログラム。
【発明の詳細な説明】
【技術分野】
【０００１】
本発明は、表示方法、表示装置およびプログラムに関する。
【背景技術】
【０００２】
タッチパネル等を用いた操作面と映像表示面（以下、表示画面と呼ぶ）とが一体となったインタラクティブな表示装置がある。ユーザーはこの表示画面に表示されるボタンや図形を操作する。このとき、表示画面に汚れや傷が付いていると、ユーザー操作の認識精度が低下したり、視認性が低下したりするという問題がある。【０００３】
特許文献１は、汚れによる視認性の低下を改善する表示装置を開示する。特許文献１に記載されている表示装置は、表示画面の画素毎に接触回数をカウントする。また、接触回数に基づいて画素毎に汚れ度が決定される。そして、決定された汚れ度に基づいて表示態様が決定される。
【先行技術文献】
【特許文献】
【０００４】
【特許文献１】特開２０１０−２３７５９９号公報
【発明の概要】
【発明が解決しようとする課題】
【０００５】
特許文献１に記載されている表示装置は、汚れ度に応じて表示態様を決定することで汚れによる視認性の低下を改善する。しかしながら特許文献１には、汚れや傷による操作性の低下については記載がない。【０００６】
操作面と映像表示面とが一体となった表示装置では、表示画面に汚れや傷が付いた場合、該当箇所で作業を行ったときに、ユーザーが本来の操作感を得られないことがあるという課題がある。【０００７】
本発明は、上記の事情を考慮してなされたものであり、上記の課題を解決することができる表示方法、表示装置およびプログラムを提供することを目的とする。
【課題を解決するための手段】
【０００８】
上記の課題を解決するため、本発明の一態様は、入力表示部の汚損を検出する汚損検出ステップと、前記検出した汚損の位置に対応する前記入力表示部の第１箇所に所定の表示をする汚損箇所表示ステップとを含む表示方法である。【０００９】
また、本発明の一態様は、入力表示部の汚損を検出し、前記検出した汚損の位置に対応する前記入力表示部の第１箇所に所定の表示をする処理部を備える表示装置である。【００１０】
また、本発明の一態様は、入力表示部の汚損を検出し、前記検出した汚損の位置に対応する前記入力表示部の第１箇所に所定の表示をする処理部によって制御される表示装置である。【００１１】
また、本発明の一態様は、入力表示部の汚損を検出する汚損検出ステップと、前記検出した汚損の位置に対応する前記入力表示部の第１箇所に所定の表示をする汚損箇所表示ステップとをコンピュータに実行させるプログラムである。
【発明の効果】
【００１２】
本発明によれば、予期しない操作性の低下を防止することで、操作感を改善することができる。
【図面の簡単な説明】
【００１３】
【図１】本発明の第１の実施形態の構成例を示すシステム図である。
【図２】図１に示した表示装置１の構成例を説明するための説明図である。
【図３】図１に示した表示装置１の動作例を説明するための説明図である。
【図４】図１に示した表示装置１の動作例を説明するための説明図である。
【図５】図１に示した表示装置１の動作例を説明するためのフローチャートである。
【図６】図１に示した表示装置１の動作例を説明するためのフローチャートである。
【図７】図１に示した表示装置１の動作例を説明するためのフローチャートである。
【図８】図１に示した表示装置１の動作例を説明するためのフローチャートである。
【図９】本発明の第２および第３の実施形態の構成例を示すシステム図である。
【図１０】図９に示した表示装置１ａの動作例を説明するための説明図である。
【図１１】図９に示した表示装置１ａの変形例を示すシステム図である。
【図１２】図９に示した表示装置１ａの動作例（第２の実施形態）を説明するためのフローチャートである。
【図１３】図９に示した表示装置１ａの動作例（第２の実施形態）を説明するためのフローチャートである。
【図１４】図９に示した表示装置１ａの動作例（第２の実施形態）を説明するためのフローチャートである。
【図１５】図９に示した表示装置１ａの動作例（第２の実施形態）を説明するためのフローチャートである。
【図１６】図９に示した表示装置１ａの動作例（第２の実施形態）を説明するためのフローチャートである。
【図１７】図９に示した表示装置１ａの動作例（第３の実施形態）を説明するための説明図である。
【図１８】図９に示した表示装置１ａの動作例（第３の実施形態）を説明するためのフローチャートである。
【図１９】図９に示した表示装置１ａの動作例（第３の実施形態）を説明するためのフローチャートである。
【図２０】本発明の第４の実施形態の構成例を示すシステム図である。
【図２１】図２０に示した表示装置１ｃの変形例を示すシステム図である。
【図２２】図２０に示した表示装置１ｃの動作例を説明するためのフローチャートである。
【図２３】図２０に示した表示装置１ｃの動作例を説明するためのフローチャートである。
【図２４】図２０に示した表示装置１ｃの動作例を説明するためのフローチャートである。
【図２５】図２０に示した表示装置１ｃの動作例を説明するための説明図である。
【図２６】図２０に示した表示装置１ｃの動作例を説明するための説明図である。
【図２７】図２０に示した表示装置１ｃの動作例を説明するための説明図である。
【図２８】図２０に示した表示装置１ｃの変形例を示すシステム図である。
【図２９】図２１に示した表示装置１ｄの変形例を示すシステム図である。
【図３０】本発明の実施形態を説明するための説明図である。
【図３１】本発明の実施形態を説明するための説明図である。
【図３２】本発明の実施形態を説明するための説明図である。
【図３３】本発明の実施形態を説明するための説明図である。
【図３４】本発明の実施形態を説明するための説明図である。
【図３５】本発明の実施形態の基本構成を示すブロック図である。
【発明を実施するための形態】
【００１４】
＜第１の実施形態＞
以下、図面を参照して本発明の第１の実施形態について説明する。図１は第１の実施形態の構成を示すシステム図である。図１に示した表示装置１は、表示部２と、検出部３と、処理部４とを備える。
【００１５】
表示部２は、表示画面２ａを有し、処理部４が出力した制御信号に応じて表示画面２ａに画像を表示する。表示部２は、例えば、タッチパネル等を用いた操作面と映像表示面とが一体となったタッチパネル式のディスプレイである。この場合、表示部２は、検出部３と一体として構成される。ただし、表示部２と検出部３とは必ずしも一体である必要はない。例えば、表示部２をプロジェクターで構成し、検出部３をカメラで構成することができる。
【００１６】
表示部２は、例えば、タッチパネル式の案内板や不特定多数のユーザーが共同で利用するテーブル型ディスプレイ装置やスマートフォン等の携帯型端末のディスプレイとして構成することができる。図２は、表示部２をタッチパネル式のテーブル型ディスプレイとして構成した例を示す。図２に示した表示部２は、複数の脚２０で支えられたテーブルの平板を表示画面２ａによって構成する。ユーザー９１およびユーザー９２は各々、表示画面２ａ上の任意の位置で入力操作を行うことができる。
【００１７】
検出部３は、表示部２の表示画面２ａに対するユーザーの入力操作を検出する。検出部３は、検出した操作の内容を表す情報を処理部４へ出力する。検出部３は、抵抗値、静電容量、音波、圧力、画像認識結果、光、スタイラスを使った場合の磁気、スイッチのオン・オフ等の量や変化を計測することで、表示部２の表示画面２ａに対する入力操作を検出する。検出部３は、複数種類を組み合わせてもよい。検出部３は、例えば、表示画面２ａの１画素または複数画素を単位として、各単位に対する入力操作の有無を周期的に検出する。検出部３は、例えば、全単位または一部の単位についての入力操作の有無の検出結果を表す情報を、操作の内容を表す情報として処理部４へ周期的に出力する。あるいは、検出部３は、入力操作が有ると検出した部分の位置または位置および検出量を表す情報を、操作の内容を表す情報として処理部４へ出力してもよい。あるいは、検出部３は、計測結果の時間的な変化を認識することで検出した入力操作の態様を表す情報を、操作の内容を表す情報として処理部４へ出力してもよい。入力操作の態様は、例えば、操作の種類、位置や範囲、操作時間等を示す情報で表すことができる。
【００１８】
処理部４は、例えばＣＰＵ（中央処理装置）と記憶装置とを用いて構成され、ＣＰＵによって所定のプログラムを実行することで動作する。本実施形態において、処理部４は、検出部３の出力信号に基づいて表示部２の表示画面２ａ上に付いた汚損を検出し、表示部２の表示画面２ａ上の検出した汚損を含む箇所に所定の模様を表示させる。処理部４は、ユーザーが表示部２の表示画面２ａを操作していない場合に、検出部３の検出状態に基づいて汚損を検出する。例えば、処理部４は、ユーザーが操作していない時に、検出部３が入力操作が行われているときと同じ状態を検出した場合に、入力操作が検出された箇所が汚損していると判定する。なお、以下では、入力操作があると検出部３が検出している状態を、検出部３が反応している状態であるとする。ここで、ユーザーの操作がない時とは、例えば、（１）例えば、就業時間後や深夜帯等、管理者が誰も操作しないと予想して指定した時（特定の時刻や時間帯）や、（２）人感センサーやカメラ等を用いて装置の周りに人がいないと判定した時である。あるいは、ユーザーの操作がない時とは、（３）表示装置１が例えばスマートフォンである場合、表示画面２ａを上にしたまま、画面がオフされる前とすることも考えられる。
【００１９】
なお、汚損とは、汚れたりと傷んだりすることをいう。また、汚損は、汚れはあるが傷のないもの、汚れはないが傷のあるもの、汚れと傷の両方があるものを含む。例えば、図３に示したように、処理部４は、検出部３の出力信号に基づいて表示部２の表示画面２ａ上に付いた汚損８０を検出する。そして、例えば、図４に示したように、処理部４は、表示部２の表示画面２ａ上の検出した汚損８０を含む箇所に所定の模様８１を表示させる。模様８１は、ユーザーからは見えないあるいは見えにくい汚損８０が存在する箇所を可視化するためのパターンである。模様８１は、基本的には汚損８０の箇所の周りを縁取るように表示される（図３０、図３１および図３３）。ただし、図３２のように複数の汚損８０間の距離が十分近い場合、連結したひとつの模様８１を表示することもできる。また図３４のようにドーナツ型の中央を埋めることもできる。これらはシステムを実装する際に自由に設定できるものである。
【００２０】
なお、各図において他の図に示したものと同一または対応する構成には同一の符号をつけて説明を適宜省略する。
【００２１】
次に、図５に示したフローチャートを参照して図１に示した表示装置１の動作例について説明する。図５のフローチャートの開始は、例えば、装置の電源を入れたとき、装置を再起動させたとき、スリープから復帰したとき（所定の動作を行ったとき）、予め設定した時刻になったとき（所定の時刻になったとき）、予め設定した時間を経過したとき（所定の時間を経過したとき）等が挙げられる。図５に示した処理が開始されると、処理部４は、まず、ユーザーが入力操作を行っているか否かを判定する（ステップＳ１０）。ユーザーが入力操作を行っている場合（ステップＳ１０でＹＥＳの場合）、処理部４は、ステップＳ１０の判定を繰り返し実行する（ステップＳ１０でＹＥＳの繰り返し）。ステップＳ１０において、処理部４は、例えば、図示していないカメラで表示画面２ａの周辺画像を撮像し、撮像した画像に基づいてユーザーが表示画面２ａを操作しているか否かを判定することができる。
【００２２】
ユーザーが入力操作を行っていないと判定した場合（ステップＳ１０でＮＯの場合）、処理部４は、検出部３の反応を確認する（ステップＳ１１）。ステップＳ１１において、処理部４は、検出部３が反応している箇所が複数ある場合、検出部３の反応を１箇所ずつ確認する。次に、ステップＳ１１の確認結果に基づいて、処理部４は、検出部３に反応があるか否かを判定する（ステップＳ１２）。検出部３に反応がない場合（ステップＳ１２でＮＯの場合）、処理部４は処理を終了する。一方、検出部３に反応がある場合（ステップＳ１２でＹＥＳの場合）、処理部４は、検出部３から該当箇所の位置と範囲を取得する（ステップＳ１３）。次に、処理部４は、該当箇所をマークする（ステップＳ１４）。ステップＳ１４において、処理部４は、表示画面２ａの１または複数の画素毎に予め用意した複数の記憶領域のいずれかに該当箇所が汚損していることを示す情報を記憶する。次に、処理部４は、表示部２にマークした箇所に模様を表示させる（ステップＳ１５）。次に、処理部４は、マークした箇所をステップＳ１１での確認の対象から除外する（ステップＳ１６）。次に、処理部４は、再度、ステップＳ１１の処理を実行する。処理部４は、マークした箇所の他に検出部３の反応がないかを、該当箇所がなくなるまで繰り返しチェックする。
【００２３】
図５に示したフローによれば、次の効果が得られる。例えば、ディスプレイの表示画面２ａ上のある箇所に汚損８０が付着したとする（図３）。ここで汚損８０はユーザーが認識しにくい汚れや傷であるとする。また、汚損８０している箇所ではユーザー操作の認識精度が低下することが考えられる。この場合、該当箇所で作業を行うユーザーは本来の操作感が得られないという問題がある。これに対し、図５に示したフローでは、図４に示したように、汚損８０している箇所に模様８１が表示される。これによって、ユーザーに該当箇所は操作性が低下していると感知させることができる。それを見てユーザーは例えば該当箇所を避け、別の場所で作業を行うことができる。または、軽度の汚れの場合はユーザー自らその汚れを除去することで、再び該当箇所を利用可能にする対処を行わせることができる。あるいはユーザーは例えば該当箇所での入力操作を操作性が低下していることを前提として行うことができる。このように本実施形態では、表示画面２ａの汚れや傷による操作性の低下をユーザーに通知することで、例えば、通知を受けたユーザーが該当箇所の汚れを拭き取るまたは該当箇所を避けて操作する等、ユーザー自身に対応を選択できるようにすることができる。
【００２４】
次に、図６を参照して図１に示した表示装置１の他の動作例について説明する。図５に示したフローと比較して、図６に示したフローは、ステップＳ１５とステップＳ１６との間に、新たにステップＳ２０が設けられている点が異なる。ステップＳ２０において、処理部４は、ステップＳ１４でマークした箇所の操作を無効にする設定を行う。図６に示したフローによれば、該当箇所をマークした後に、誤操作を起こさないように該当箇所での操作を検出しても処理部４は当該入力操作を無効とすることができる。
【００２５】
次に、図７を参照して図１に示した表示装置１の他の動作例について説明する。図５に示したフローと比較して、図７に示したフローは、ステップＳ１０に代えてステップＳ２１とステップＳ２２とが設けられている点が異なる。ステップＳ２１において、処理部４は、検出部３の出力に基づき、ユーザーがマークした箇所で拭き取る操作を検出した場合、ステップＳ２２以降の処理を実行する。ステップＳ２２において、処理部４は、表示部２に拭き取る操作が検出されたマークした箇所に表示させている模様を非表示にさせる。図７に示したフローでは、汚れをマークした場所で、汚れを拭き取るような操作を検出部３が検出した際に、処理部４は一旦該当箇所の模様を非表示にし、もう一度チェックを行い反応があれば再び模様を表示する。
【００２６】
なお、ステップＳ２１において、処理部４が、検出部３で検出した入力操作がマークした箇所（第１箇所）で拭き取る操作であることを判定する方法には例えば次の方法がある。（１）拭き取る操作を行う旨をユーザーが処理部４に対して指示する。例えば、拭き取る操作を行うことを表すボタンを表示画面に表示し、ユーザーが拭き取り操作を行う前に予めそのボタンをタッチすることによって指示する。（２）表示部２への入力操作に基づいて判定する。例えば、ユーザーがテーブル用のタオルを用いて拭き取る操作を行う際には、手のひら全体が表示部２にタッチされると考えられる。そこで、手のひら全体がタッチされ、それが移動することから判定する。（３）カメラでユーザーの動きを撮影し、取得された画像又は動画に基づいて判定する。
【００２７】
また、ステップＳ２２では、拭き取る操作が検出されたマークした箇所に表示されている模様を非表示とすることとしているが、非表示に限らず、例えば、模様の明るさもしくは色またはそれらの両方を変更するといった汚損箇所の表示を変更する処理に代えてもよい。
【００２８】
次に、図８を参照して図１に示した表示装置１の他の動作例について説明する。図７に示したフローと比較して、図８に示したフローは、新たにステップＳ２３が設けられている点が異なる。処理部４は、ステップＳ１２において反応がないと判定した場合（ステップＳ１２でＮＯの場合）、マークした箇所の操作を有効に設定する（ステップＳ２３）。図８に示したフローにおいて、処理部４は、誤認識を防止するために該当箇所での動作も停止させている場合は、誤反応がなくなった場合に有効に戻す処理を行う。
【００２９】
以上のように、本実施形態によれば、予期しない操作性の低下を防止することで、操作感を改善することができる。
【００３０】
＜第２の実施形態＞
以下、図面を参照して本発明の第２の実施形態について説明する。図９は第２の実施形態の構成を示すシステム図である。図９に示した表示装置１ａは、表示部２と、判別部５と、処理部Ａ４１と、処理部Ｂ４２とを備える。判別部５と、処理部Ａ４１と、処理部Ｂ４２とを組み合わせたものが、図１に示した第１の実施形態の処理部４に対応する構成である。判別部５、処理部Ａ４１、および処理部Ｂ４２は、例えば同一のまたは異なるＣＰＵと記憶装置とを用いて構成され、ＣＰＵによって所定のプログラムを実行することで動作する。
【００３１】
図９に示した表示装置１ａにおいて、判別部５では、ユーザー操作可能な領域での操作を処理部Ａ４１に、傷や汚れをマークした領域での操作を処理部Ｂ４２に振り分ける処理を行う。ユーザー操作可能な領域は、図１０に示したように、汚損８０を含むマークした領域８２以外の表示画面２ａ上の操作領域である。処理部Ａ４１は、通常のユーザーが行う処理を担当する。処理部Ｂ４２は、汚れた箇所での拭き取り操作等を監視する処理を担当する。なお、汚損８０が検出される前の初期状態において判別部５は、全ての領域での操作を処理部Ａ４１に流すように設定している。
【００３２】
次に、図１２に示したフローチャートを参照して図９に示した表示装置１ａの動作例について説明する。所定のプログラムが実行されると、判別部５は、まず、ユーザーが入力操作を行っているか否かを判定する（ステップＳ３０）。ユーザーが入力操作を行っている場合（ステップＳ３０でＹＥＳの場合）、判別部５は、ステップＳ３０の判定を繰り返し実行する（ステップＳ３０でＹＥＳの繰り返し）。ステップＳ３０において、判別部５は、例えば、図示していないカメラで表示画面２ａの周辺画像を撮像し、撮像した画像に基づいてユーザーが表示画面２ａを操作しているか否かを判定することができる。
【００３３】
ユーザーが入力操作を行っていないと判定した場合（ステップＳ３０でＮＯの場合）、判別部５は、検出部３の反応を確認する（ステップＳ３１）。なお、ステップＳ３１において、判別部５は、検出部３が反応している箇所が複数ある場合、検出部３の反応を１箇所ずつ確認する。次に、ステップＳ３１の確認結果に基づいて、判別部５は、検出部３に反応があるか否かを判定する（ステップＳ３２）。検出部３に反応がある場合（ステップＳ３２でＹＥＳの場合）、判別部５は、検出部３から該当箇所の位置と範囲を取得する（ステップＳ３３）。
【００３４】
次に、判別部５は、該当箇所の処理を処理部Ｂ４２へ流すように設定する（ステップＳ３４）。次に、処理部Ｂ４２は、該当箇所をマークする（ステップＳ３５）。次に、処理部Ｂ４２は、表示部２にマークした箇所に模様を表示させる（ステップＳ３６）。次に、処理部Ｂ４２は、マークした箇所の操作を無効に設定する（ステップＳ３７）。次に、判別部５は、マークした箇所をステップＳ３１での確認の対象から除外する（ステップＳ３８）。次に、判別部５は、再度、ステップＳ３１の処理を実行する。判別部５は、マークした箇所の他に検出部３の反応がないかを、該当箇所がなくなるまで繰り返しチェックする。
【００３５】
一方、ステップＳ３２において反応がないと判定した場合（ステップＳ３２でＮＯの場合）、判別部５は、マークした箇所以外での処理を処理部Ａ４１へ流すように設定する（ステップＳ３９）。ここで、判別部５は処理を終了する。
【００３６】
次に、図１３を参照して図９に示した表示装置１ａの他の動作例について説明する。図１２に示したフローと比較して、図１３に示したフローは、ステップＳ３０に代えてステップＳ４０とステップＳ４１とが設けられている点と、ステップＳ３７が削除されている点とが異なる。ステップＳ４０において、処理部Ｂ４２は、検出部３の出力に基づき、マークした箇所で拭き取る操作を検出した場合、ステップＳ４１以降の処理を実行する。ステップＳ４１において、処理部Ｂ４２は、拭き取る操作が検出されたマークした箇所に表示させている模様を表示部２に非表示にさせる。図１３に示したフローでは、汚れをマークした場所で、汚れを拭き取るような操作を検出部３が検出した際に、処理部Ｂ４２は一旦該当箇所の模様を非表示にする。そして、判別部５はもう一度チェックを行い反応があれば処理部Ｂ４２が再び模様を表示する。
【００３７】
次に、図１４に示したフローチャートを参照して図９に示した表示装置１ａの他の動作例について説明する。この動作例は、表示装置１ａが模様８１を表示する動作の一例である。図１２に示したフローと比較して、検出部３がタッチセンサである場合に適した流れに変更されている点が異なる。検出部３がタッチセンサである場合は、反応があった複数の箇所を一括してチェックすることが容易である。この場合、処理部４２Ｂは、反応があった複数の箇所を表す情報を一括して取得し、次に一括して取得した情報に基づいて反応があった複数の箇所をマークするという処理を実行することができる。この場合、検出部３から処理部４２Ｂへは検出結果を一括して転送することができる。したがって転送処理を効率化することができる。なお、図１２に示したフローでは、反応箇所を１箇所ずつチェックする処理が繰り返し実行されている。このように図１４に示したフローでは、検出部３から表示画面２ａの全部または指定した一部の領域の全画素に対応した検出結果を一度に出力させている。したがって、例えば、ユーザーが操作していない場合に検出部３が反応した領域が複数あるとき、複数の領域に対する模様８１の表示を一度に実行することができる。
【００３８】
ユーザーが入力操作を行っていない場合、処理部Ｂ４２、表示領域の全てまたは一部の範囲について検出部３の検出結果を取得する（ステップＳ５０）。次に、判別部５は、検出部３の反応を確認する（ステップＳ５１）。ステップＳ５１において、判別部５は、検出部３が反応している箇所が複数ある場合、すべての箇所について検出部３の反応を確認する。次に、ステップＳ５１の確認結果に基づいて、判別部５は、検出部３に反応があるか否かを判定する（ステップＳ５２）。検出部３に反応がある場合（ステップＳ５２でＹＥＳの場合）、判別部５は、検出部３から該当箇所の位置と範囲を取得する（ステップＳ５３）。
【００３９】
次に、判別部５は、該当箇所の処理を処理部Ｂ４２へ流すように設定する（ステップＳ５４）。次に、処理部Ｂ４２は、表示部２に該当箇所に模様を表示させる（ステップＳ５５）。ここで、判別部５は処理を終了する。
【００４０】
一方、ステップＳ５２において反応がないと判定した場合（ステップＳ５２でＮＯの場合）、判別部５は、該当箇所の処理を処理部Ａ４１へ流すように設定する（ステップＳ５６）。すなわち、ステップＳ５６において、判別部５は、処理部Ｂ４２へ流すように設定していた該当箇所の処理を処理部Ａ４１へ流すように設定する。ここで、判別部５は処理を終了する。
【００４１】
次に、図１５を参照して図９に示した表示装置１ａの他の動作例について説明する。この動作例は、表示装置１ａでユーザーによって汚れがふき取られた場合の動作の一例である。この動作例では、拭き取り動作が検出された場合に、処理部Ｂ４２が先に模様８１を消去し、その後、判別部５が検出部３の反応の有無を判定する。したがって、模様８１を消すことで、拭き残しを浮かび上がらせることができる。なお、図１４に示したフローと同様に、検出部３がタッチセンサである場合に適したフローである。
【００４２】
図１４に示したフローと比較して、図１５に示したフローは、ステップＳ５０に代えてステップＳ６０とステップＳ６１とが設けられている点が異なる。拭き取り動作が検出された場合、処理部Ｂ４２は、検出部３の出力に基づき、拭き取り動作を検出した範囲を取得する（ステップＳ６０）。次に、処理部Ｂ４２は、表示部２に、範囲内の模様８１を非表示にさせる（ステップＳ６１）。ステップＳ５１以降の処理は図１４と同一である。
【００４３】
次に、図１６を参照して図９に示した表示装置１ａの他の動作例について説明する。この動作例は、表示装置１ａでユーザーによって汚れがふき取られた場合の動作の一例である。この動作例では、拭き取り動作が検出された場合に、判別部５が検出部３の反応の有無を判定し、反応が無かった場合に処理部Ｂ４２が模様８１を消去する。この場合、汚損８０が拭き取られたと判別部５が判定した箇所の模様８１が消去される。なお、図１５に示したフローと同様に、検出部３がタッチセンサである場合に適したフローである。
【００４４】
拭き取り動作が検出された場合、処理部Ｂ４２は、検出部３の出力に基づき、拭き取り動作を検出した範囲を取得する（ステップＳ７０）。次に判別部５は検出部３の反応を確認する（ステップＳ７１）。次に、ステップＳ７１の確認結果に基づいて、判別部５は、検出部３に反応があるか否かを判定する（ステップＳ７２）。検出部３に反応がある場合（ステップＳ７２でＹＥＳの場合）、判別部５は、検出部３から該当箇所の位置と範囲を取得する（ステップＳ７３）。次に、判別部５は、該当箇所の処理を処理部Ｂ４２へ流すように設定する（ステップＳ７４）。一方、ステップＳ７２において判別部５が反応がないと判定した場合（ステップＳ７２でＮＯの場合）、処理部Ｂ４２は、該当箇所の模様８１を非表示にさせる（ステップＳ７５）。次に、判別部５は、該当箇所の処理を処理部Ａ４１へ流すように設定する（ステップＳ７６）。ここで、判別部５は処理を終了する。
【００４５】
なお、図９に示した表示装置１ａにおいては、図１１に示したように、判別部５を除くこともできる。図１１に示した表示装置１ｂは、表示部２と、検出部３と、処理部Ａ４１ａと、処理部Ｂ４２ａとを備える。表示装置１ｂでは、ユーザーによる入力操作を処理部Ａ４１ａと処理部Ｂ４２ａとに共に入力する。そして、処理部Ａ４１ａでは、マークした領域のユーザー入力操作を無効化する。他方、処理部Ｂ４２ａでは、マークした領域以外のユーザー入力操作を無効化する。
【００４６】
以上のように、本実施形態によれば、予期しない操作性の低下を防止することで、操作感を改善することができる。その際、マークした領域８２に対する操作に応じた処理と、それ以外の領域に対する操作に応じた処理とを、処理部Ｂ４２（または処理部Ｂ４２ａ）と処理部Ａ４１（または処理部Ｂ４１ａ）とに振り分けて実行する。そのため、例えば、プログラムの作成や変更を容易に行うことができる。
【００４７】
＜第３の実施形態＞
本発明の第３の実施形態は、構成が図９に示した第２の実施形態の表示装置１ａと同一であり、動作が第２の実施形態と異なる。ただし、第３の実施形態では、図９に示した検出部３が、タッチセンサとカメラとから構成されている。第３の実施形態は、検出部３を構成するタッチセンサとカメラとを用いて汚損を検出する。第３の実施形態は、例えば、タッチセンサで検出できない汚損をカメラを用いて検出することで検出精度を向上させることができる。また、第３の実施形態は、汚損の有無に加えて汚損のレベルを管理する機能を備える。
【００４８】
図１７は、第３の実施形態で用いる汚損のレベルを示す。図１７に示した汚損レベルは、レベル０〜２のＴレベルと、レベル０〜２のＳレベルとを含む。Ｔレベルは検出部３のタッチセンサの検出結果に応じて決定される。Ｓレベルは検出部３のカメラを用いた検出結果に応じて決定される。Ｔレベル＝０は誤動作無しを意味する。Ｔレベル＝１は誤動作有りを意味する。Ｔレベル＝２は拭き取り後に誤動作有りを意味する。Ｓレベル＝０は汚れ無しを意味する。Ｓレベル＝１は汚れ有りを意味する。Ｓレベル＝２は拭き取り後に汚れ作有りを意味する。各レベルの大小関係は、Ｓ０＝Ｔ０＜Ｓ１＜Ｓ２＜Ｔ１＜Ｔ２である。なお例えばＳ０はＳレベル＝０を表す。
【００４９】
次に、図１８を参照して、図９に示した表示装置１ａにおいて汚損箇所に模様８１を表示する動作について説明する。ユーザーが入力操作を行っていない場合、処理部Ｂ４２、表示領域の全てまたは一部の範囲について検出部３の検出結果を取得する（ステップＳ１００）。次に、判別部５は、検出部３の反応をチェックする（ステップＳ１０１）。タッチセンサに反応がある場合（ステップＳ１０２でＹＥＳの場合）、判別部５は、該当箇所のＴレベルを１上げる（ステップＳ１０３）。次に、判別部５は該当箇所の位置と範囲を取得する（ステップＳ１０４）。次に判別部５は該当箇所の処理を処理部Ｂ４２へ流すよう設定する（ステップＳ１０５）。次に、判別部５は該当箇所のＴレベルまたはＳレベルに応じた模様８１を表示する（ステップＳ１０６）。ただし判別部５はＴレベルおよびＳレベルがともに０なら模様８１を消す。
【００５０】
一方、タッチセンサに反応がない場合（ステップＳ１０２でＮＯの場合）、判別部５は、該当箇所のＴレベルを０にする（ステップＳ１０７）。次に、判別部５は、カメラに反応がある場合（ステップＳ１０８でＹＥＳの場合）、該当箇所のＳレベルを１上げる（ステップＳ１０９）。次に判別部５はステップＳ１０４の処理を実行する。他方、カメラに反応がない場合（ステップＳ１０８でＮＯの場合）、判別部５は該当箇所のＳレベルを０にする（ステップＳ１１０）。次に、判別部５は、該当箇所の処理を処理部Ａ４１へ流すよう設定する（ステップＳ１１１）。なお、処理部Ａ４１と処理部Ｂ４２の動作は第２の実施形態と同一である。
【００５１】
次に、図１９を参照して、図９に示した表示装置１ａの汚れを拭き取る動作が検出された場合の動作例について説明する。図１８に示したフローと比較して、図１９に示したフローは、ステップＳ１００に代えてステップＳ２０１とステップＳ２０２とが設けられている点が異なる。拭き取り動作が検出された場合、処理部Ｂ４２は、検出部３の出力に基づき、拭き取り動作を検出した範囲を取得する（ステップＳ２００）。次に、処理部Ｂ４２は、表示部２に、範囲内の模様８１を非表示にさせる（ステップＳ２０１）。ステップＳ１０１以降の処理は図１８と同一である。
【００５２】
以上のように、本実施形態によれば、予期しない操作性の低下を防止することで、操作感を改善することができる。その際、汚損が検出された箇所に対する操作に応じた処理と、それ以外の箇所に対する操作に応じた処理とを、処理部Ｂ４２（または処理部Ｂ４２ａ）と処理部Ａ４１（または処理部Ｂ４１ａ）とに振り分けて実行する。そのため、例えば、プログラムの作成や変更を容易に行うことができる。さらに、汚損のレベルを管理するので、レベルに応じて模様８１を表示することができる。
【００５３】
＜第４の実施形態＞
図２０から図２９を参照して本発明の第４の実施形態について説明する。図２０は第４の実施形態の構成例を示すシステム図である。図２０に示した表示装置１ｃは、表示部２ｂと、判別部５ｂと、処理部Ａ４１ｂと、処理部Ｂ４２ｂと、処理部Ｍ４３とを備える。判別部５ｂと、処理部Ａ４１ｂと、処理部Ｂ４２ｂと、処理部Ｍ４３とを組み合わせたものが、図１に示した第１の実施形態の処理部４に対応する構成である。判別部５ｂ、処理部Ａ４１ｂ、処理部Ｂ４２ｂ、および処理部Ｍ４３は、例えば同一のまたは異なるＣＰＵと記憶装置とを用いて構成され、ＣＰＵによって所定のプログラムを実行することで動作する。
【００５４】
表示部２ｂは、図１に示した表示部２と検出部３とを組み合わせた構成であり、例えばコンテンツ８６を表示画面２ａ上に表示するディスプレイであり、タッチ操作による入力操作ができる。表示部２ｂは、ユーザーの入力操作を検出し、例えばタッチされた位置を表す情報をタッチ情報１０１として判別部５ｂに対して出力する。
【００５５】
判別部５ｂは、タッチされた箇所がユーザー操作可能な箇所か操作無効な汚損箇所かを判別し、タッチ操作の情報をタッチ情報１０４として処理部Ａ４１ｂまたは処理部Ｂ４２ｂに振り分ける。また、判別部５ｂは、汚損箇所のチェック処理により汚損箇所があると判定した場合、その情報（位置および範囲）を、汚損箇所情報１０２として処理部Ｍ４３に伝達する。
【００５６】
処理部Ｍ４３は、ユーザーのタッチ操作における処理やコンテンツの表示、汚損箇所のチェックを行い、その結果を判別情報１０３として判別部５ｂに伝達する。また、処理部Ｍ４３は、汚損箇所がある場合、表示画面２ａ上の汚損８０がある箇所に模様８１を表示し可視化する。
【００５７】
処理部Ａ４１ｂは、通常のユーザー操作（汚損箇所以外に対してのユーザー操作）を処理する。処理部Ａ４１ｂは、例えばユーザーのタッチ操作やジェスチャー、コンテンツ操作（ボタンが押された等）を認識し、処理部Ｍ４３へ伝達する。
【００５８】
処理部Ｂ４２ｂは、汚損箇所に対してのユーザー操作を処理する。処理部Ｂ４２ｂは、例えば拭き取り動作を検知した場合に処理部Ｍ４３へそれを伝える。
【００５９】
なお、コンテンツ８６は、ディスプレイの表示画面２ａ上に表示するコンテンツであり、画像や動画等の情報である。また、外部入力１０５は、コンテンツ８６を表す外部入力情報であり、例えば映像信号やデータコンテンツ等である。
【００６０】
なお、第４の実施形態の表示装置は、図２０に示した表示装置１ｃように、表示部２ｂと、判別部５ｂ、処理部Ａ４１ｂ、処理部Ｂ４２ｂおよび処理部Ｍ４３とを一体としたディスプレイ一体型の構成に限定されない。例えば、図２１に表示装置１ｄとして示したように、表示部２ｂを備えるディスプレイ１１と、判別部５ｂ、処理部Ａ４１ｂ、処理部Ｂ４２ｂおよび処理部Ｍ４３を備える処理装置１２とに分けることもできる。
【００６１】
次に、図２２から図２７を参照して、図２０に示した表示装置１ｃまたは図２１に示した表示装置１ｄにおける動作例について説明する。図２２はタッチ操作が検出されたときの処理例を示す。図２３は汚損のチェック処理の一例を示す。また、図２４は、コンテンツの表示処理の一例を示す。
【００６２】
表示部２ｂが表示画面２ａに対する入力操作を検出すると、表示部２ｂに対するユーザータッチ操作に基づくタッチ情報１０１が判別部５ｂへ伝わる。判別部５ｂは、処理部Ｍ４３から受信した判別情報１０３に基づき、タッチ情報１０１からタッチされた箇所がユーザー操作可能な領域Ａかユーザー操作無効な領域（汚損箇所）Ｂかの判別を行い、処理部Ａ４１ｂまたは処理部Ｂ４２ｂへタッチ情報１０４を伝達する（図２２のステップＳ３００）。
【００６３】
処理部Ａ４１ｂでは、通常のユーザー操作を認識する（ステップＳ３０１）。処理部Ａ４１ｂは、コンテンツ８６へのタッチ操作やジェスチャー等を認識し処理部Ｍ４３へ操作情報を伝達する（ステップＳ３０２）。ここで処理部Ａ４１ｂは処理を終了する。一方、処理部Ｍ４３では、ユーザー操作に対しての処理を行う。処理部Ｍ４３は、例えばボタンが押されたときの処理等を行う。
【００６４】
一方、処理部Ｂ４２ｂでは、汚損箇所に対するユーザー操作を監視する（ステップＳ３０３）。汚損箇所に対するユーザー操作が拭き取り動作でない場合（ステップＳ３０３でＮＯの場合）、処理部Ｂ４２ｂは処理を終了する。一方、処理部Ｂ４２ｂは、ユーザーの拭き取り動作を検知した際には（ステップＳ３０３でＹＥＳの場合）、処理部Ｍ４３へ伝達する（ステップＳ３０４およびステップＳ３０５）。ここで処理部Ｂ４２ｂは処理を終了する。他方、処理部Ｍ４３では、拭き取り動作が行われた範囲に対して汚損のチェックを行う。
【００６５】
汚損のチェック処理は、処理部Ｂ４２ｂから入力される拭き取り操作が行われた後、またはユーザーが誰もタッチ操作を行っていない時をトリガとして開始される。後者は例えば、タイマーによって深夜時間帯に開始することや一定時間タッチ操作が無い場合に開始するが考えられる。
【００６６】
図２３に示したように、処理部Ｍ４３による汚損のチェック処理では、まず、処理部Ｍ４３がユーザーが操作していないときにタッチセンサに反応があるか否かを判定する（ステップＳ４００）。タッチセンサに反応がない場合（ステップＳ４００でＮＯの場合）、処理部Ｍ４３は処理を終了する。一方、タッチセンサに反応があった場合（ステップＳ４００でＹＥＳの場合）、処理部Ｍ４３は、当該箇所が汚損であると認識し、汚損箇所の情報を判別情報として記録する（ステップＳ４０１）。次に、処理部Ｍ４３は、チェック結果を判別部５ｂへ判別情報（位置、範囲）１０３として伝達する（ステップＳ４０２）。また、処理部Ｍ４３は、表示部２ｂに模様８１を表示させ汚損箇所を可視化させる（ステップＳ４０３）。
【００６７】
また、処理部Ｍ４３では、処理部Ａ４１ｂおよび処理部Ｂ４２ｂから入力されるイベントに対しての処理を行う。また、処理部Ｍ４３は、入力されたコンテンツの表示や管理を行う。また、処理部Ｍ４３は、例えば、図２５に示したようにコンテンツが表示される位置に汚損箇所が重なっている場合、コンテンツの表示位置を汚損箇所に重ならないよう変更することもできる。また、処理部Ｍ４３は、ＯＫボタン等のユーザーインターフェース（ＵＩ）の位置のみ変更することもできる。
【００６８】
図２５は、模様８１とコンテンツ８６との重畳関係の一例を示した模式図である。コンテンツの表示処理では、処理部Ｍ４３は、まず、コンテンツ８６と汚損領域を示す模様８１とを、それぞれコンテンツを描画するレイヤー２３と汚損領域を描画するレイヤー２２とに分けて描画する。そして、処理部Ｍ４３は、それらを重畳した重畳画像２１を作成することで最終的に表示部２ｂに表示する。その際、処理部Ｍ４３は、汚損領域のレイヤー２２が必ずコンテンツ描画のレイヤー２３より上面になるようにして重畳画像２１を作成する。図２５において、汚損領域８４は汚損８０に対応した領域である。また、コンテンツ表示領域８５はコンテンツ８６に対応した領域である。
【００６９】
コンテンツが表示される位置に汚損箇所が重なっていると場合、処理部Ｍ４３は、例えば図２６に示したようにコンテンツ８６の表示位置を汚損８０の箇所に重ならないよう変更する（レイヤー２３上に変更を矢印で示した）。また、処理部Ｍ４３は、例えば図２７に示したように、ＯＫボタン等のユーザーインターフェース（ＵＩ）８７の位置のみ変更することもできる（レイヤー２３上に変更を矢印で示した）。
【００７０】
なお、図２０に示した表示装置１ｃの構成は例えば図２８に示した表示装置１ｅの構成に変形することができる。また、図２１に示した表示装置１ｄの構成は例えば図２９に示した表示装置１ｆの構成に変形することができる。図２８または図２９に示した表示装置１ｅまたは表示装置１ｆでは、タッチ情報１０１が処理部Ｍ４３ｃへ入力され、判別部５ｃへは処理部Ｍ４３ｃから判別情報１０３が入力される。なお、図２８または図２９に示した判別部５ｃ、処理部Ａ４１ｃ、処理部Ｂ４２ｃおよび処理部Ｍ４３ｃは、図２０または図２１に示した判別部５ｂ、処理部Ａ４１ｂ、処理部Ｂ４２ｂおよび処理部Ｍ４３にそれぞれ対応する構成であり、タッチ情報１０１の扱いを除き動作は同様である。
【００７１】
以上のように、本実施形態によれば、予期しない操作性の低下を防止することで、操作感を改善することができる。その際、汚損が検出された箇所に対する操作に応じた処理と、それ以外の箇所に対する操作に応じた処理とを、処理部Ｂ４２ｂ（または処理部Ｂ４２ｃ）と処理部Ａ４１ｂ（または処理部Ｂ４１ｃ）とに振り分けて実行する。さらに、汚損のチェックやコンテンツと模様との表示処理を処理部Ｍ４３で実行する。したがって、例えば、プログラムの作成や変更を容易に行うことができる。また、処理部Ｍ４３が、汚損を可視化する模様と、コンテンツのとの位置関係を調整することができるので、コンテンツに対する操作性や視認性を改善することができる。
【００７２】
＜基本構成＞
図３５は、上述した第１の実施形態から第４の実施形態およびそれらの変形例の基本構成の例を示す。図３５（Ａ）に示した各実施形態の基本構成の一例である表示装置２００は、処理部２０１を少なくとも備える。ただし、表示装置２００は、入力表示部２０２を備えていてもよい。入力表示部２０２は、入力表示面を備え、ユーザーの入力表示面への操作を入力するための入力部の機能と、入力表示面に画像を表示するための表示部の機能とを有する。なお、入力表示部２０２の入力表示面は、透過型で画像を表示するものであってもよいし、反射型で画像を表示するものであってもよい。処理部２０１は、入力表示部２０２の汚損を検出する汚損検出ステップと、検出した汚損の位置に対応する入力表示部２０２の第１箇所に所定の表示をする汚損箇所表示ステップとを実行する。また、処理部２０１は、入力表示部２０２に対する入力操作を検知するステップを実行し、入力操作が第１箇所以外の第２箇所で検知されたときに、入力操作に応じた処理を行うことができる。
【００７３】
ここで、「第１箇所」とは、汚損検出ステップで検出された汚損の位置に対応する入力表示部２０２の入力表示面上の地点または場所である。また、「第２箇所」とは、第１箇所ではない入力表示部２０２の入力表示面上の地点または場所である。すなわち、「第２箇所」は、汚損検出ステップで検出された汚損の位置には対応していない入力表示部２０２の入力表示面上の地点または場所である。また、汚損箇所表示ステップにおいて入力表示部２０２の第１箇所になされる「所定の表示」とは、ユーザーに対して第１箇所を可視化する表示である。例えば、「所定の表示」は、第１箇所または第１箇所を含む一定の範囲に所定の模様を描画する表示である。
【００７４】
また、「汚損検出ステップ」とは、入力表示部２０２の汚損を検出する過程である。例えば、汚損検出ステップでは、入力表示部２０２に対する入力によって汚損を検出することができる。ここで、「入力表示部２０２に対する入力」とは、入力表示部２０２に対して与えられるものであって、入力表示部２０２が検出可能な所定の物理量または物理量の変化である。入力表示部２０２に対する入力は、ユーザーが入力操作を行ったときに発生するものと、ユーザーが入力操作を行っていないときに発生するものとを含む。汚損検出ステップでは、例えば、ユーザーが操作していない場合、あるいは操作していないであろうと推定される場合に、入力表示部２０２に対する入力が検出されたとき、検出された箇所を汚損箇所と判定することができる。すなわち、処理部２０１は、入力操作が行われているか否かを判定するステップを実行し、入力操作が行われていないと判定された場合に、汚損検出ステップと汚損箇所表示ステップとを実行することができる。この「入力操作が行われているか否かを判定するステップ」とは、ユーザーによって入力表示部２０２に対して所定の入力操作が行われている可能性が高いか否かを判定する過程である。入力操作が行われているか否かを判定するステップは、例えば、所定のセンサや撮像装置の出力に基づいてユーザーが入力操作を行っているか否かを判定するステップ、または、ユーザーが入力操作を行っていないと推定される条件が満たされているか否かを判定するステップの少なくとも一つを含むものとすることができる。処理部２０１は、例えば、人感センサーやカメラ等を用いて装置の周りに人がいないと判定した場合に、ユーザーが入力操作を行っていないと判定することができる。あるいは、処理部２０１は、例えば、判定時の時刻が、管理者が誰も操作しないと予想して指定した時間内である場合に、ユーザーが入力操作を行っていないと判定することができる。なお、汚損検出ステップは、例えば、所定の時刻になったもしくは所定の時間を経過したときまたは所定の動作を行ったときに実行される。
【００７５】
また、入力操作が第１箇所以外の第２箇所で検知されたときに実行される「入力操作に応じた処理」とは、入力操作の態様に応じた処理である。「入力操作に応じた処理」とは、例えば入力操作の態様に応じて内容が変化する処理である。入力操作の態様に応じて内容が変化する処理とは、例えば、入力操作の態様を検出して検出した結果を出力する処理である。この場合、入力操作の態様に応じて出力される検出結果の内容が変化する。あるいは、入力操作の態様に応じて内容が変化する処理とは、例えば、入力操作の態様を検出し、検出した結果に応じて内容が決定される処理である。この場合、入力操作の態様に応じて決定される処理の内容が変化する。
【００７６】
なお、入力表示部２０２は、図１の構成例では、表示部２と検出部３とを組み合わせた構成に対応する。また、入力表示部２０２は、図２０の構成例では、表示部２ｂに対応する。また、処理部２０１は、図１の構成例では、処理部４に対応する。この表示装置２００によれば、予期しない操作性の低下を防止することで、操作感を改善することができる。
【００７７】
一方、図３５（Ｂ）に示した各実施形態の基本構成の一例である表示装置２００ａは、処理部２０１によって制御される表示装置である。この場合、処理部２０１は、入力表示部２０２の汚損を検出する汚損検出ステップと、検出した汚損の位置に対応する入力表示部２０２の第１箇所に所定の表示をする汚損箇所表示ステップとを実行する。表示装置２００ａは、処理部２０１および入力表示部２０２と一体的に構成されていてもよいし、処理部２０１および入力表示部２０２の全部または一部とは別に構成されていてもよい。例えば、表示装置２００ａは、入力表示部２０２における表示部を有するものとして構成することができる。また、例えば、表示装置２００ａが入力表示部２０２とは別の構成である場合、表示装置２００ａは、入力表示部２０２が有する表示部を制御するための構成を備えた装置として構成することができる。
【００７８】
以上、この発明の実施形態を図面を参照して詳述してきたが、具体的な構成はこの実施形態に限られるものではなく、この発明の要旨を逸脱しない範囲の設計等も含まれる。
【符号の説明】
【００７９】
１、１ａ、１ｂ、１ｃ、１ｄ、１ｅ、１ｆ、２００、２００ａ…表示装置
２０２…入力表示部
２、２ｂ…表示部
２ａ…表示画面
３…検出部
４、２０１…処理部
４１、４１ａ、４１ｂ、４１ｃ…処理部Ａ
４２、４２ａ、４２ｂ、４２ｃ…処理部Ｂ
４３、４３ｃ…処理部Ｍ
５、５ｂ、５ｃ…判別部
８０…汚損
８１…模様
【図１】
2017090081.tif 000003
【図２】
2017090081.tif 000004
【図３】
2017090081.tif 000005
【図４】
2017090081.tif 000006
【図５】
2017090081.tif 000007
【図６】
2017090081.tif 000008
【図７】
2017090081.tif 000009
【図８】
2017090081.tif 000010
【図９】
2017090081.tif 000011
【図１０】
2017090081.tif 000012
【図１１】
2017090081.tif 000013
【図１２】
2017090081.tif 000014
【図１３】
2017090081.tif 000015
【図１４】
2017090081.tif 000016
【図１５】
2017090081.tif 000017
【図１６】
2017090081.tif 000018
【図１７】
2017090081.tif 000019
【図１８】
2017090081.tif 000020
【図１９】
2017090081.tif 000021
【図２０】
2017090081.tif 000022
【図２１】
2017090081.tif 000023
【図２２】
2017090081.tif 000024
【図２３】
2017090081.tif 000025
【図２４】
2017090081.tif 000026
【図２５】
2017090081.tif 000027
【図２６】
2017090081.tif 000028
【図２７】
2017090081.tif 000029
【図２８】
2017090081.tif 000030
【図２９】
2017090081.tif 000031
【図３０】
2017090081.tif 000032
【図３１】
2017090081.tif 000033
【図３２】
2017090081.tif 000034
【図３３】
2017090081.tif 000035
【図３４】
2017090081.tif 000036
【図３５】
2017090081.tif 000037
【国際調査報告】
2017090081.tif 000038
2017090081.tif 000039
2017090081.tif 000040
2017090081.tif 000041